(57)【要約】【課題】  配線・配管材を確実に保持することができる、配線・配管材保持具を提供する。【解決手段】  配線・配管材保持具３は、吊りボルト１に固定可能な固定部４ａを有する本体４と、本体４から連設されて配線・配管材２を保持する保持部５とを備える。保持部５は、剛性を有する台座６と、その台座６から延設されて配線・配管材２に回されるバンド７とを備える。そして、台座６と本体４との境界部近傍には、バンド７が挿入されてそのバンド７を係止する係止部８が設けられる。そこで、台座６における、バンド７が延設されるバンド基点６ａと係止部８との間が、配線・配管材２が載置されてその配線・配管材２の下部を支持する支持部６ｂとなり、バンド７が、配線・配管材２の一方の側部から上部を通って他方の側部に回されて係止部８に止められる。【選択図】  図１
2010060086.tif 000002
【特許請求の範囲】
【請求項１】
固定材に固定されて配線・配管材を保持する配線・配管材保持具であって、
前記固定材に固定可能な固定部を有する本体と、前記本体から連設されて前記配線・配管材を保持する保持部とを備え、
前記保持部は、剛性を有する台座と、その台座から延設されて前記配線・配管材に回されるバンドとを備え、
前記バンドには、そのバンドに沿って係合部が設けられ、
前記台座またはその台座と前記本体との境界部近傍には、前記バンドが挿入されてそのバンドを前記係合部部分で係止する係止部が設けられ、
前記台座における、前記バンドが延設されるバンド基点と前記係止部との間が、前記配線・配管材が載置されてその配線・配管材の下部を支持する支持部となり、前記バンドが、前記配線・配管材の一方の側部から上部を通って他方の側部に回されて前記係止部に止められることを特徴とする、配線・配管材保持具。
【請求項２】
前記支持部の上面は、前記係止部側から前記バンド基点側まで真直ぐ延びていることを特徴とする、請求項１に記載の配線・配管材保持具。
【請求項３】
前記本体は、起立する側壁面を有し、
前記台座は、前記側壁面の上下の中間部または下部から側方に延設され、
前記バンドは、前記台座の先端から延設され、
前記係止部は、前記台座において前記側壁面に隣接して設けられることを特徴とする、請求項１または２に記載の配線・配管材保持具。
【請求項４】
前記支持部の上面は、前記バンド基点側に対して前記係止部側が同じ高さまたは下方となるように形成されていることを特徴とする、請求項３に記載の配線・配管材保持具。
【請求項５】
前記バンドの先端近傍には、前記係止部に挿入された前記バンドを取外し可能に仮止めするための突起が、前記係合部とは別に設けられることを特徴とする、請求項１ないし４のいずれか１項に記載の配線・配管材保持具。
【発明の詳細な説明】
【技術分野】
【０００１】
この発明は、固定材に取り付けられる配線・配管材保持具に関するものである。
【背景技術】
【０００２】
従来、梁等から突出したボルトに取り付けられて配管材を保持する配管吊り具があった（例えば、特許文献１参照）。図１２に示されるように、この配管吊り具１３は、ボルト１１を支持するボルト支持部１４ａが設けられた本体１４が、上下方向に延び、本体１４の下部からは、配管支持部１５が、配管材１２の外径よりも若干長く水平方向へ延出して形成されていた。そして、配管支持部１５の先端から、バンド１６が延出して形成され、本体１４の上端部分に、バンド１６の先端側を止める錠止部１７が設けられていた。
【０００３】
【特許文献１】特開平１１−３５１４５９号公報
【発明の開示】
【発明が解決しようとする課題】
【０００４】
ところで、前記従来の配管吊り具１３においては、バンド１６の先端側を止める錠止部１７が、本体１４の上端部分に設けられていたため、本体１４の下方に設けられた配管支持部１５に支持された複数の配管材１２、１２をバンド１６で固定する際、下側の配管材１２はバンド１６には触れておらずその配管材１２を確実に保持しているとは言えなかった（図１２参照）。また、このとき、固定される配管材１２が一本だとすると、バンド１６は、配管材１２に接触しないか、接触したとしても、バンド１６が触れるのは、配管材１２の外周において本体１４から離れた最外方の部分に限られた。すなわち、この配管吊り具１３にあっては、配管材１２の固定が不安定になるという問題があった。
【０００５】
そこで、本発明は、上記した従来の欠点を解決するためになされたものであり、その目的とするところは、配線・配管材を確実に保持することができる、配線・配管材保持具を提供することにある。
【課題を解決するための手段】
【０００６】
この発明に係る配線・配管材保持具は、前記目的を達成するために、次の構成からなる。すなわち、
請求項１に記載の発明に係る配線・配管材保持具は、固定材に固定されて配線・配管材を保持する配線・配管材保持具である。この配線・配管材保持具は、前記固定材に固定可能な固定部を有する本体と、前記本体から連設されて前記配線・配管材を保持する保持部とを備える。ここにおいて、前記保持部は、剛性を有する台座と、その台座から延設されて前記配線・配管材に回されるバンドとを備える。そして、前記バンドには、そのバンドに沿って係合部が設けられ、前記台座またはその台座と前記本体との境界部近傍には、前記バンドが挿入されてそのバンドを前記係合部部分で係止する係止部が設けられる。そこで、前記台座における、前記バンドが延設されるバンド基点と前記係止部との間が、前記配線・配管材が載置されてその配線・配管材の下部を支持する支持部となり、前記バンドが、前記配線・配管材の一方の側部から上部を通って他方の側部に回されて前記係止部に止められる。
【０００７】
この配線・配管材保持具は、固定部が固定材に固定され、保持部が配線・配管材を保持し、こうして、配線・配管材は、この配線・配管材保持具を用いて固定材に取り付けられる。ここで、保持部においては、支持部が、配線・配管材の下部を支持し、バンドが、配線・配管材の両側部および上部に回される。これにより、支持部により下部を支持された配線・配管材は、バンドで締め付けられると、両側部および上部の広い範囲でバンドと接触し、配線・配管材は確実に保持される。
【０００８】
また、請求項２に記載の発明に係る配線・配管材保持具は、請求項１に記載の配線・配管材保持具において、前記支持部の上面は、前記係止部側から前記バンド基点側まで真直ぐ延びている。
【０００９】
また、請求項３に記載の発明に係る配線・配管材保持具は、請求項１または２に記載の配線・配管材保持具において、前記本体は、起立する側壁面を有し、前記台座は、前記側壁面の上下の中間部または下部から側方に延設される。そして、前記バンドは、前記台座の先端から延設され、前記係止部は、前記台座において前記側壁面に隣接して設けられる。こうして、係止部を、台座において本体の側壁面に隣接して設けることで、バンドを係止部に挿入して配線・配管材を締め付けたときに、配線・配管材は、側壁面側、つまり本体側に引き寄せられる。したがって、配線・配管材を本体側にて安定して保持することができる。
【００１０】
また、請求項４に記載の発明に係る配線・配管材保持具は、請求項３に記載の配線・配管材保持具において、前記支持部の上面は、前記バンド基点側に対して前記係止部側が同じ高さまたは下方となるように形成されている。これにより、バンドを係止部に挿入して配線・配管材を締め付けたときに、配線・配管材は、側壁面側、つまり本体側に容易に引き寄せられる。
【００１１】
また、請求項５に記載の発明に係る配線・配管材保持具は、請求項１ないし４のいずれか１項に記載の配線・配管材保持具において、前記バンドの先端近傍には、前記係止部に挿入された前記バンドを取外し可能に仮止めするための突起が、前記係合部とは別に設けられる。こうして、バンドを係止部に挿入した際、バンドの先端部近傍の突起によってバンドを仮止めすることができる。したがって、配線・配管材を仮配線・配管することができ、これによって、配線・配管作業がしやすくなる。
【発明の効果】
【００１２】
この発明に係る配線・配管材保持具によれば、支持部により下部を支持された配線・配管材は、バンドで締め付けられると、両側部および上部の広い範囲でバンドと接触するため、この配線・配管材を確実に保持することができる。
【発明を実施するための最良の形態】
【００１３】
以下、この発明に係る配線・配管材保持具を実施するための最良の形態を図面に基づいて説明する。
【００１４】
図１〜図１０は、本発明の一実施の形態を示す。図中符号１は、固定材、例えば建物に配設された固定材としての、二重天井等における吊りボルトである。２は、配線・配管材（配線材または配管材）である。３は、前記吊りボルト１に固定されて前記配線・配管材２を保持する配線・配管材保持具である。
【００１５】
配線・配管材保持具３は、吊りボルト１に固定可能な固定部４ａを有する本体４と、その本体４から連設されて配線・配管材２を保持する保持部５とを備える。そして、保持部５は、剛性を有する台座６と、その台座６から延設されて配線・配管材２に回されるバンド７とを備える。ここにおいて、バンド７には、そのバンド７に沿って係合部７ａが設けられる。そして、台座６またはその台座６と本体４との境界部近傍には、バンド７が挿入されてそのバンド７を係合部７ａ部分で係止する係止部８が設けられる。そこで、台座６における、バンド７が延設されるバンド基点６ａと係止部８との間が、配線・配管材２が載置されてその配線・配管材２の下部を支持する支持部６ｂとなり、バンド７が、配線・配管材２の一方の側部から上部を通って他方の側部に回されて係止部８に止められる。すなわち、バンド７は、支持部６ｂの上側において、その支持部６ｂとで輪を形成するようにして係止部８に止められる。
【００１６】
具体的には、配線・配管材保持具３は、前記本体４と前記保持部５とからなり、それら本体４と保持部５とが合成樹脂材料により一体に形成されている。
【００１７】
本体４は、起立する側壁面４ｂを有している。そして、前記固定部４ａそのものが本体４となって、この固定部４ａは、基部４ｃと、その基部４ｃから延設されたフック部４ｄとからなる。基部４ｃは、吊りボルト１に沿って板状に延びて、吊りボルト１が接する面とは反対側の面が前記側壁面４ｂとなっている。そして、フック部４ｄは、吊りボルト１を抱え込むように湾曲して形成されている。詳細には、このフック部４ｄは、二つ設けられており、これらフック部４ｄ、４ｄは、吊りボルト１に沿う方向に離れて並ぶようにして、そして、吊りボルト１を互いに逆回りに抱え込むように延設されている。そこで、両フック部４ｄ、４ｄ間が、第１開放部４ｅとなり、フック部４ｄ、４ｄの先端と基部４ｃとの間が、第２開放部４ｆ、４ｆとなる。
【００１８】
この配線・配管材保持具３を吊りボルト１に取り付けるには、固定部４ａを吊りボルト１と交差させた状態でその吊りボルト１に近接させるようにして、吊りボルト１を第１開放部４ｅから進入させる（図６参照）。その後、固定部４ａを、吊りボルト１に沿う方向を向くようにひねって、吊りボルト１を第２開放部４ｆ、４ｆから固定部４ａ内に進入させる（図７参照）。こうして、固定部４ａは、基部４ｃが吊りボルト１に当接し、フック部４ｄ、４ｄが吊りボルト１を抱え込むことで、その吊りボルト１に固定される。反対に、配線・配管材保持具３を吊りボルト１から取り外すには、固定部４ａをひねるようにして、吊りボルト１を第２開放部４ｆ、４ｆから外に出し（図６参照）、その後、固定部４ａを吊りボルト１から離すようにして、吊りボルト１を第１開放部４ｅから外に出す。なお、フック部４ｄには、その内側に、吊りボルト１におけるねじの谷と係合する爪４ｇが設けられており、この固定部４ａが、吊りボルト１に固定された後に、その吊りボルト１の軸方向に安易に移動しないようになっている。
【００１９】
保持部５は、前記台座６と前記バンド７と前記係止部８とからなる。台座６は、本体４における前記側壁面４ｂの上下の中間部または下部（図示実施の形態においては下部）から側方に延設されている。バンド７は、台座６の先端から延設される。そして、前記係止部８は、台座６において前記側壁面４ｂに隣接して設けられている。すなわち、係止部８は、台座６と本体４との境界部近傍であって台座６側に設けられる。この係止部８は、通孔８ａと、その通孔８ａに設けられた係止爪８ｂとからなる。通孔８ａは、前記側壁面４ｂに隣接して上下に貫通して明けられている。係止爪８ｂは、通孔８ａにおける側壁面４ｂとは反対側の内面から下方に延びさらに側壁面４ｂ側に向かうように折れ曲がって形成されている。
【００２０】
また、前記支持部６ｂの上面は、前記係止部８側から前記バンド基点６ａ側まで真直ぐ延びている。そして、支持部６ｂの上面は、前記バンド基点６ａ側に対して前記係止部８側が同じ高さまたは下方となるように形成されている。図示実施の形態においては、台座６の上面は、水平に延びており、支持部６ｂの上面は、バンド基点６ａ側と係止部８側とが同じ高さとなっている。また、これによって、台座６の上面、ひいては支持部６ｂの上面は、側壁面４ｂと互いに垂直となる。
【００２１】
バンド７においては、その上面（内側面）の、前記バンド基点６ａ寄りの途中位置から先端に近い途中位置までの間に、前記係合部７ａが設けられている。この係合部７ａは、バンド７の長手方向に凹凸状（詳細には、鋸状）に形成されて、その任意の位置で前記係止部８に止められる。また、バンド７の先端近傍には、係止部８（詳細には、通孔８ａ）に挿入されたバンド７を取外し可能に仮止めするための突起７ｂ、７ｂが、前記係合部７ａとは別に設けられている。この突起７ｂは、バンド７の下面（外側面）に、バンド７の長手方向に直交する方向に線状に形成されている。そして、図８に示すように、この突起７ｂが、通孔８ａの出口の周縁部（図示実施の形態においては、基部４ｃの下端）に係合することで、バンド７はその位置で仮止めされる。
【００２２】
次に、以上の構成からなる配線・配管材保持具３の作用効果について説明する。この配線・配管材保持具３によると、固定部４ａが吊りボルト１に固定され、保持部５が配線・配管材２を保持し、こうして、配線・配管材２は、この配線・配管材保持具３を用いて吊りボルト１に取り付けられる。ここで、保持部５においては、支持部６ｂが、配線・配管材２の下部を支持し、バンド７が、配線・配管材２の両側部および上部に回される。これにより、支持部６ｂにより下部を支持された配線・配管材２は、バンド７で締め付けられると、両側部および上部の広い範囲でバンド７と接触する（図１参照）。このため、この配線・配管材２を確実に保持することができる。
【００２３】
また、係止部８を、台座６において本体４の側壁面４ｂに隣接して設けることで、バンド７を係止部８（詳細には、通孔８ａ）に挿入して配線・配管材２を締め付けたときに、バンド７の形成する輪は、係止部８側に向かって縮径し、配線・配管材２は、側壁面４ｂ側、つまり本体４側に引き寄せられる。したがって、配線・配管材２を本体４側にて、安定して保持することができる。また、このとき、支持部６ｂの上面が、バンド基点６ａ側に対して係止部８側が同じ高さまたは下方となるように（図示実施の形態においては、同じ高さとなるように）形成されている。これにより、バンド７を係止部８（詳細には、通孔８ａ）に挿入して配線・配管材２を締め付けたときに、配線・配管材２は、側壁面４ｂ側、つまり本体４側に容易に引き寄せられる。そして、このように、配線・配管材２を本体４に引き寄せて配線・配管することかできることから、吊りボルト１からの配線・配管材２の出っ張り量を小さくすることができる。したがって、配線・配管材２が邪魔にならず、見た目もよい。
【００２４】
また、バンド７を係止部８（詳細には、通孔８ａ）に挿入した際、バンド７の先端部近傍の突起７ｂによってバンド７を仮止めすることができる（図８参照）。したがって、配線・配管材２を仮配線・配管することができ、これによって、配線・配管作業がしやすくなる。
【００２５】
また、側壁面４ｂからバンド基点６ａまでの距離（図示実施の形態においては、台座６の長さ）は、配線・配管材２としてバンド７で保持可能な最大径の配線・配管材２０１の半径と同じあるいは半径に近い長さとなっている。すなわち、図９に示すように、バンド７で保持可能な最大径の配線・配管材２０１とは、バンド７の係合部７ａにおける先端側の最初の部分が係止部８に係合した状態で、ちょうど締め付けられる太さの配線・配管材である。そして、側壁面４ｂからバンド基点６ａまでの距離（図示実施の形態においては、台座６の長さ）が、この最大径の配線・配管材２０１の半径と同じあるいは半径に近い長さとなる（例えば、この半径に対して±１０％の公差内）。つまり、図１０に示すように、この最大径の配線・配管材２０１が、台座６に載せられて、バンド７が配線・配管材２０１に回される前であってその配線・配管材２０１が側壁面４ｂに当接した状態において、配線・配管材２０１の中心２ａを通る鉛直線上に、あるいは鉛直線に近い位置に前記バンド基点６ａが位置する。これによって、最大径以下の配線・配管材２を、側壁面４ｂに当接させて台座６に安定して載せることができ、バンド７が回される前の配線・配管材２の台座６による仮保持を容易に行うことができる。また、バンド７によって保持可能な配線・配管材２のうち、大径の配線・配管材２に関しては、バンド７が配線・配管材２の周囲に沿ってより密着するようにして保持することができる。そして、この大径の配線・配管材２を本体４の方向により近づけることができる。
【００２６】
なお、本発明は、上述した実施の形態に限定されるわけではなく、その他種々の変更が可能である。例えば、固定材は、吊りボルト１でなくとも、その他のボルトとか鉄筋等のバー材であってもよく、さらには、バー材以外の部材であってもよい。ここで、配線・配管材保持具３における固定部４ａの形状は、この固定材の形状に応じて適宜変更される。
【００２７】
また、この配線・配管材保持具３によって、１本の配線・配管材２が保持されるだけでなく、図１１に示すように、２本とかの複数本の配線・配管材２、２が保持されてもよい。そして、この場合にも、上述した作用効果を奏することができる。また、この図１１においては、配線・配管材２としてＶＶＦケーブルを用いており、この断面形状は、上述のような円形形状ではなく、扁平形状をしている。一般には、配線・配管材２の断面形状は、円形形状とか扁平形状（楕円等の扁円形状を含む）、その他どのような形状であっても構わない。
【００２８】
また、バンド７の先端近傍には、仮止めのための突起７ｂが設けられているが、この突起７ｂは、無くともよい。
【００２９】
また、係止部８は、台座６と本体４との境界部近傍であって、台座６側に設けられているが、本体４側に設けられてもよい。さらに、係止部８は、台座６と本体４との境界部近傍に設けられなくとも、台座６における、本体４から離れた位置に設けられても構わない。
【００３０】
また、バンド７の長さとか、台座６や支持部６ｂの長さ等は、図示実施の形態に限定されるものではなく、必要に応じて、それぞれ任意に変更することができる。
【図面の簡単な説明】
【００３１】
【図１】この発明の一実施の形態の、一部を破断した正面図である。
【図２】同じく、配線・配管材保持具の斜視図である。
【図３】同じく、配線・配管材保持具の平面図である。
【図４】同じく、配線・配管材保持具の底面図である。
【図５】同じく、配線・配管材保持具の縦断面図である。
【図６】同じく、固定部を吊りボルトへ固定する、あるいは取り外す、途中過程の右側面図である。
【図７】同じく、固定部を吊りボルトへ固定した状態の右側面図である。
【図８】同じく、仮止め状態を示す正面図である。
【図９】同じく、最大径の配線・配管材が保持部に保持されている状態の、一部を破断した正面図である。
【図１０】同じく、最大径の配線・配管材に対してバンドが回される前の状態の、一部を破断した正面図である。
【図１１】この発明の他の実施の形態の、図１相当図である。
【図１２】従来の配管吊り具を示す正面図である。
【符号の説明】
【００３２】
１  吊りボルト（固定材）
２  配線・配管材
３  配線・配管材保持具
４  本体
４ａ  固定部
４ｂ  側壁面
５  保持部
６  台座
６ａ  バンド基点
６ｂ  支持部
７  バンド
７ａ  係合部
７ｂ  突起
８  係止部
【図１】
2010060086.tif 000003
【図２】
2010060086.tif 000004
【図３】
2010060086.tif 000005
【図４】
2010060086.tif 000006
【図５】
2010060086.tif 000007
【図６】
2010060086.tif 000008
【図７】
2010060086.tif 000009
【図８】
2010060086.tif 000010
【図９】
2010060086.tif 000011
【図１０】
2010060086.tif 000012
【図１１】
2010060086.tif 000013
【図１２】
2010060086.tif 000014